(57)【要約】【課題】コストを抑え簡単な操作により確実に排水口内周面および排水かごを消毒し細菌の繁殖や、ぬめり、悪臭が発生するのを防ぐ。【解決手段】排水管５に止水栓７を設ける。止水栓７を閉め排水口２に塩素系漂白剤等の薬品と水道水を入れ排水口上面１０まで薬品の水溶液で満たす。数時間放置することで排水口内周面３および排水かご１は消毒される。その後、止水栓７を開放すると薬品の水溶液は流出する。【選択図】　図１
2004027820.tif 000002
【特許請求の範囲】
【請求項１】
排水口、排水かごおよび排水口の下の排水管内を消毒するために排水管に止水栓を設けることで排水管の止水栓上部から排水口内部までを薬品の水溶液で満たすことができることを特徴とする排水口消毒設備。
【請求項２】
排水口、排水かごおよび排水口の下の排水管内を消毒するために排水管に止水栓と空気の抜け道となる副管を設けることで排水管の止水栓上部から排水口内部までを薬品の水溶液で満たすことができることを特徴とする請求口１記載の排水口消毒設備。
【発明の詳細な説明】
【０００１】
【発明の属する技術分野】
この発明は、台所等のシンクの排水口を消毒する設備及び排水口下部の排水管の形状に関する。
【０００２】
【従来の技術】
従来の排水口の消毒には、図２に示す排水かご１や排水口２に対して薬品をスプレーで吹きつける方法や排水かご１を消毒するために排水かご１を取り出し薬品の水溶液に浸す方法などがある。また排水口２の上部に薬品を装填したリングを取り付け流れ込む水によって薬品が溶けだし排水口と排水かごを消毒するもの等がある。
【０００３】
【発明が解決しようとする課題】
しかしながら、以上の従来技術によれば、細菌等に汚染された排水かごを取り出し別の容器に薬品を満たした中に浸して置かなければならない。この方法では排水かごを排水口から取り出す手間がかかる上に大きな容器が必要となる。排水口内部に薬品をスプレーする方法があるが手間がかかり全ての表面を確実に消毒する事は難しい。薬品を装填したリングを排水口に取り付ける方法でも全ての表面を確実に消毒する事は難しく薬品のコストがかかる。
そこで、この発明は、コストを抑え簡単な操作により確実に排水口、排水かごおよび排水口の下の排水管内を消毒する設備を提供することを課題とする。
【０００４】
【課題を解決するための手段】
以上の課題を解決するために、請求項１の発明は、排水口、排水かごおよび排水口の下の排水管内を消毒するために排水管に止水栓を設けることで排水管の止水栓上部から排水口内部までを薬液で満たすことができること特徴とする排水口消毒設備である。
また、請求項２の発明は、排水口、排水かごおよび排水口の下の排水管内を消毒するために排水管に止水栓と空気の抜け道となる副管を設けることで排水管の止水栓上部から排水口内部までを薬液で満たすことができることを特徴とする排水口消毒設備である。
【０００５】
【発明の実施の形態】
この発明の一実施形態を、図１に示す。
排水口２の下にある配水管４に排水の流れを止める止水栓６が設けられている。排水管４の上部接続口９に接続された空気の抜け道となる副管８が排水口２の後方を通りシンク１２の裏側、排水口上面１４よりもわずかに高い位置にある固定器具７を通って止水栓６の下にある下部接続口１０に接続する。
【０００６】
「実地形態の効果」
この実施形態によれば、排水口２、排水かご１を消毒するときには、排水かご１は排水口２の中に入れたままにし、ハンドル５を操作して止水栓６を閉じる。必要量（消毒効果を得られる量）の塩素系漂白剤などの薬品を排水口に入れた後に蛇口１３より水道水を入れる。副管８がない排水管では、防臭ふた３と止水栓６の間に空気が残ってしまい排水管４の中には薬品および水道水が入って行き難いが、空気の抜け道となる副管８を設置した効果で水道水はスムーズに排水管４に流入し止水栓６の上部から排水口上面１４まで薬品の水容液が満たす。この状態で数時間放置することで排水口２、排水かご１および排水口２の下の排水管４内は消毒される。その後、止水栓を開放すると薬品の水容液は流出する。
なお、空気の抜け道となる副管８は設置するシンクやシンクの下の構造に合わせるために変形可能なホース等とし止水栓６は金属やブラスチック等の材質で確実に水の流れを止めることができる構造とする。
塩素系漂白剤は安価に購入できるので、このシステムによればコストを抑え簡単な操作により確実に排水口２、排水かご１および排水口２の下の排水管４内を消毒することができる。
【０００７】
「他の実施形態の効果」
図１の実地形態で消毒のため数時間放置するときに排水口上面１４を覆うふたをかぶせておくことで塩素臭が室内に拡がるのを抑え、消毒中であることを他の人に知らせる効果がある。
【０００８】
また、図１にある空気の抜け道となる副管８を設置しない場合、排水口２内の防臭ふた３をはずすと止水栓６を閉じることにより同じように止水栓６の上部から排水口上面１４まで薬品の水容液を満たすことができる。
【０００９】
【発明の効果】
以上説明したように、この発明によれば、排水管に止水栓と空気の抜け道となる副管を設けたことでコストを抑え簡単な操作により確実に排水口、排水かごおよび排水口の下の排水管内を消毒することができ、細菌等の繁殖を防ぎ、ぬめりや悪臭の発生を抑えることができる。
【図面の簡単な説明】
【図１】この発明の一実地形態を示す断面図である。
【図２】従来技術を示す断面図である。
【符号の説明】
【図１】
１　排水かご　　　　　　　　２　排水口
３　防臭ふた　　　　　　　　４　排水管
５　ハンドル　　　　　　　　６　止水栓
７　固定器具　　　　　　　　８　副管
９　上部接続口　　　　　　１０　下部接続口
１１　扉　　　　　　　　　　１２　シンク
１３　蛇口　　　　　　　　　１４　排水口上面
【図２】
１　排水かご　　　　　　　　２　排水口
３　防臭ふた　　　　　　　　４　排水管
５　扉　　　　　　　　　　　６　シンク
７　蛇口
【図１】
2004027820.tif 000003
【図２】
2004027820.tif 000004
【手続補正書】
【提出日】平成15年4月29日(2003.4.29)
【手続補正１】
【補正対象書類名】明細書
【補正対象項目名】全文
【補正方法】変更
【補正の内容】
【発明の詳細な説明】
【特許請求の範囲】
【請求項１】排水口内周面および排水かごを消毒するために排水管に止水栓を設けることで排水口内部を薬品の水溶液で満たすことができることを特徴とする排水口消毒設備。
【発明の詳細な説明】
【０００１】
【発明の属する技術分野】
この発明は、台所等のシンクの排水口内周面および排水かごを消毒する設備に関する。
【０００２】
【従来の技術】
従来の排水口の消毒には、図２に示す排水かご１や排水口２に対して薬品をスプレーで吹きつける方法や排水かご１を消毒するために排水かご１を取り出し薬品の水溶液に浸す方法などがある。また排水口２の上部に薬品を装填したリングを取り付け流れ込む水によって薬品が溶けだし排水口と排水かごを消毒するもの等がある。
【０００３】
【発明が解決しようとする課題】
しかしながら、以上の従来技術によれば、細菌等に汚染された排水かごを取り出し薬品の水溶液を満たした別の容器に中に浸して置かなければならない。この方法では排水かごを排水口から取り出す手間がかかる上に大きな容器が必要となる。排水口内部に薬品をスプレーする方法があるが手間がかかり全ての表面を確実に消毒する事は難しい。薬品を装填したリングを排水口に取り付ける方法でも全ての表面を確実に消毒する事は難しく薬品のコストがかかる。
そこで、この発明は、コストを抑え簡単な操作により確実に排水口内周面および排水かごを消毒する設備を提供することを課題とする。
【０００４】
【課題を解決するための手段】
以上の課題を解決するために、請求項１の発明は、排水口内周面および排水かごを消毒するために排水管に止水栓を設けることで排水口内部を薬品の水溶液で満たすことができること特徴とする排水口消毒設備である。
【０００５】
【発明の実施の形態】
この発明の一実施形態を、図１に示す。
排水口２の下にある排水管５にハンドル６の操作により排水の流れを止める止水栓７が設けられている。
【０００６】
「実地形態の効果」
この実施形態によれば、排水口内周面３、排水かご１を消毒するときには、排水かご１は排水口２の中に入れたままにし、ハンドル６を操作して止水栓７を閉じる。必要量（消毒効果を得られる量）の塩素系漂白剤などの薬品を排水口２に入れた後に蛇口１１より水道水を入れ排水口上面１０まで満たす。この状態で数時間放置することで排水口内周面３および排水かご１は消毒される。その後、止水栓７を開放すると薬品の水容液は流出する。
塩素系漂白剤は安価に購入できるので、このシステムによればコストを抑え簡単な操作により確実に排水口内周面３および排水かご１を消毒することができる。
【０００７】
「他の実施形態の効果」
図１の実地形態で消毒のため数時間放置するときに排水口上面１０を覆うふたをかぶせておくことで塩素臭が室内に拡がるのを抑え、消毒中であることを他の人に知らせる効果がある。
【０００８】
また、通常は防臭ふた４の効果により排水管５内には空気が密閉されるため薬品の水容液は流入し難いが防臭ふた４をはずすと排水管５内も薬品の水容液を満たすことができる。これにより排水管５内も消毒することができる。
【０００９】
【発明の効果】
以上説明したように、この発明によればコストを抑え簡単な操作により確実に排水口内周面および排水かごを消毒することができ、細菌等の繁殖を防ぎ、ぬめりや悪臭の発生を抑えることができる。
【図面の簡単な説明】
【図１】この発明の一実地形態を示す断面図である。
【図２】従来技術を示す断面図である。
【符号の説明】
【図１】
１　排水かご　　　　　　　　２　排水口
３　排水口内周面　　　　　　４　防臭ふた
５　排水管　　　　　　　　　６　ハンドル
７　止水栓　　　　　　　　　８　扉
９　シンク　　　　　　　　１０　排水口上面
１１　蛇口
【図２】
１　排水かご　　　　　　　　２　排水口
３　防臭ふた　　　　　　　　４　排水管
５　扉　　　　　　　　　　　６　シンク
７　蛇口
【手続補正２】
【補正対象書類名】図面
【補正対象項目名】図１
【補正方法】変更
【補正の内容】
【図１】
2004027820.tif 000005